(57)【特許請求の範囲】
【請求項１】
上下同一内径とした、胴部形成周壁３の下端面を開口すると共に、胴部上方には収納物取出し口５を有する容器本体１と、
上記周壁下端開口を、周壁下端内へ嵌合させた底板12で密閉すると共に、該底板外周の下端部から切離し用破断線13を介して周壁下端面外方へ外向きのフランジ状板14を突設し、かつ該フランジ状板外周から周壁３の下部外面へ嵌合させて短筒15を起立し、又それ等フランジ状板および短筒の一部を切離して該切離し部分16両端を破断可能な小片17で連結して容器本体に対して抜落ち不能に装着させた適宜弾性を有する合成樹脂製の底部材11とからなり、
上記破断線13を切断した状態にあっては、強制押上げにより底板12を胴部上方へ押上げ可能に形成した
ことを特徴とする摺動式底板付き容器。
【請求項２】
上記底板12を揚げ底状に、上板12a 外周から嵌合筒12b を、周壁下部の内面へ圧接させ垂下して形成した
ことを特徴とする請求項１記載の摺動式底板付き容器。
【発明の詳細な説明】
【０００１】
【発明の属する技術分野】
本発明は摺動式底板付き容器に関する。
【０００２】
【従来の技術】
周壁下端面を底板で閉塞する容器は、通常底板外周から周壁を起立させている。
【０００３】
【発明が解決しようとする課題】
予め容器内に物品を収納させておき、容器上方に設けた取出し口から収納物を順次取出すよう設けた容器は、その収納物取出しの便宜のために、容器上方の取出し口から底板までの容器内の深さを上記取出しが便利なように定めている。
このような構造は、消費量が比較的少ない物品収納用容器としては適当であっても消費量の多い物品収納用容器としては収納物品を直ぐ使い盡くすことになることから不便となる。
【０００４】
本発明容器は、そのような物品を収納するに便利なよう設けた容器であって、深く設けた容器内収納物が減少して容器上方からの収納物の取出しが不便になると、周壁下端面を閉塞する底板を押上げすることで、それまで胴部内下方にあった収納物を胴部上方へ移動させて、その取出しが容易となるよう設けたものである。
【０００５】
【課題を解決するための手段】
第１の手段として上下同一内径とした、胴部形成周壁３の下端面を開口すると共に、胴部上方には収納物取出し口５を有する容器本体１と、
上記周壁下端開口を、周壁下端内へ嵌合させた底板12で密閉すると共に、該底板外周の下端部から切離し用破断線13を介して周壁下端面外方へ外向きのフランジ状板14を突設し、かつ該フランジ状板外周から周壁３の下部外面へ嵌合させて短筒15を起立し、又それ等フランジ状板および短筒の一部を切離して該切離し部分16両端を破断可能な小片17で連結して容器本体に対して抜落ち不能に装着させた適宜弾性を有する合成樹脂製の底部材11とからなり、
上記破断線13を切断した状態にあっては、強制押上げにより底板12を胴部上方へ押上げ可能に形成した。
【０００６】
第２の手段として、上記第１の手段を有すると共に上記底板12を揚げ底状に、上板12a 外周から嵌合筒12b を、周壁下部の内面へ圧接させ垂下して形成した。
【０００７】
【発明の実施の形態】
以下について説明すると、１は容器本体で、頂壁２外周から上下同一内径とした胴部形成用周壁３を垂下する。頂壁２中央部上面は凹部４に形成しており、該凹部にはティッシュペーパー取出し用の細長な割溝状に取出し口５を穿設しており、又その凹部へは蓋板６を着脱自在に嵌合させている。
【０００８】
上記周壁３の下端内に底部材11の底板12を嵌合させている。該底板は図示のように上板12a 外周から揚げ底状に嵌合筒12b を垂下させ、その嵌合筒を胴部内面へ圧接させて形成するとよいが、底板は平板状であっても差支えなく、又上記とは逆に平板部外周から嵌合筒を起立させて形成することも考えられる。底板12外周の下端部から切離し用破断線13を介して周壁３の下端面外方へ外向きのフランジ状板14を突出し、かつ該フランジ状板外周から周壁３の下部外面へ嵌合させて短筒15を起立し、又それ等フランジ状板および短筒の一部を切離して該切離し部分16の両端を破断可能な小片17で連結している。底部材11は上記のようにして容器本体１に対して抜落ち不能に装着させている。上記破断線は多数の小透孔を連続させたミシン目状の線でもよく、又肉薄線でもよい。
【０００９】
上記容器内には底部材11装着に先だって多数の折畳んだティッシュペーパーを収納させ、又最上方のティッシュペーパー１枚の側部を既述取出し口５から外方へ引出しておき、上記底部材装着後、蓋板６を外してティッシュペーパーを１枚宛引出して使用する。公知のように最上位の１枚を引出したとき、最上方から２枚目のティッシュペーパーはほぼ半枚分だけ取出し口から外方へ引出されるよう設けておく。
【００１０】
以上のように設けた容器において、容器本体内ティッシュペーパーが例えば半分程度まで少なくなったとき、小片17を切断し、切離し部分一端を強く外方へ引くことで切離し用破断線13を切離して底板12だけを周壁下端部内に残し、短筒15およびフランジ状板14を除去する。該状態から図１が二点鎖線で示すように底板12を上方へ強制押上げして該位置に底板を停止させ、再びティッシュペーパーを使用すればよい。
【００１１】
図３が示す第２実施形態は周壁３上端面をそのまま開口して取出し口５とした例を示し、その上端開口面を蓋21で開閉自在に閉塞している。その他部分は既述第１実施形態の場合と同じであり、よって同一符号を付することで説明を省略する。該第２実施形態の場合の収納物は、適当大きさの多数の固形物が適することとなる。
【００１２】
上記各部材はすべて適宜合成樹脂材で成形しているが、底部材11は切離し用破断線13および小片17の切断を可能とする必要上適宜弾性を有することが必要となる。
【００１３】
【発明の効果】
本発明は既述構成としたから、底板強制押上げによって深底の容器を浅底の容器に変えることが出来、よって容器体内収納物が減少して容器上方の取出し口５からの取出しが行い難くなった後は底板押上げにより容器内底部にあった収納物を胴部上方まで押上げてその取出しを容易とすることが出来る。
【００１４】
又底板外周の下端部からはフランジ状板14を介して短筒15を起立し、該短筒を周壁の下部外面へ嵌合させて容器本体１に対して抜落ち不能としたから、フランジ状板14および短筒15を除去しない限り底板12が上昇あるいは抜落ちすることがなく、更に底板12の押上げは、容器本体内収納物が相当量減少した後に行うこととなるから、このときは収納物の重量も減少することとなり、押上げられた底板12が収納物の重量によって下降するおそれもない。
【００１５】
請求項２のように形成することで、他物が直接底板12下面へ当ってそのため破断線13が切断するおそれがなく、又嵌合筒12b を設けたことで底板外周面と周壁３内面との摩擦抵抗を多くすることが出来、特に底板押上げ時における底板の位置決めを確実とすることが出来る。
【図面の簡単な説明】
【図１】  本発明容器の半断面図である。
【図２】  容器一部に設けた小片切離し状態で示す要部の斜視図である。
【図３】  別実施形態で示す容器の半断面図である。
【符号の説明】
１…容器本体                    ３…周壁
５…取出し口                    11…底部材
12…底板                        13…破断線
15…短筒                        17…小片
【図１】
0003808271.tif 000002
【図２】
0003808271.tif 000003
【図３】
0003808271.tif 000004